(57)【要約】【課題】変倍比が５程度で、短焦点距離端で３５゜を超える半画角を有し、前玉径を小さく、構成枚数を少なくできる小型の広角ズームレンズ系を得る。【解決手段】  物体側から順に、正の第１レンズ群と、負の第２レンズ群と、正の第３レンズ群と、正の第４レンズ群とから構成され、短焦点距離端から長焦点距離端へのズーミングに際し、第１レンズ群と第２レンズ群の間隔は増大し、第２レンズ群と第３レンズ群の間隔は減少し、第３レンズ群と第４レンズ群の間隔は増大するように各群を光軸方向に移動させ、次の条件式（１）及び（２）を満足する広角レンズ系。（１）-０.７＜ｆW／ｆ2＜-０.５（２）０.４＜Ｘ1／ｆt＜０.８但し、ｆW：短焦点距離端での全系の焦点距離、ｆt：長焦点距離端での全系の焦点距離、ｆi：第ｉレンズ群（ｉ＝１から４）の焦点距離、Ｘi：短焦点距離端から長焦点距離端までの第ｉレンズ群の移動距離。【選択図】      図１
2008046347.tif 000002
【特許請求の範囲】
【請求項１】
物体側から順に、正の屈折力を有する第１レンズ群と、負の屈折力を有する第２レンズ群と、正の屈折力を有する第３レンズ群と、正の屈折力を有する第４レンズ群とから構成され、短焦点距離端から長焦点距離端へのズーミングに際し、第１レンズ群と第２レンズ群の間隔は増大し、第２レンズ群と第３レンズ群の間隔は減少し、第３レンズ群と第４レンズ群の間隔は増大するように各群を光軸方向に移動させ、次の条件式（１）及び（２）を満足することを特徴とする広角ズームレンズ系。
（１）-０.７＜ｆW／ｆ2＜-０.５
（２）０.４＜Ｘ1／ｆt＜０.８
但し、
ｆW：短焦点距離端での全系の焦点距離、
ｆt：長焦点距離端での全系の焦点距離、
ｆi：第ｉレンズ群（ｉ＝１から４）の焦点距離、
Ｘi：短焦点距離端から長焦点距離端までの第ｉレンズ群の移動距離。
【請求項２】
請求項１記載の広角ズームレンズ系において、次の条件式（３）ないし（５）を満足する広角ズームレンズ系。
（３）|Ｘ1-Ｘ3|／ｆt＜０．１
（４）０．５＜｜ｆ2｜／ｆ3＜１（ｆ2＜０）
（５）２＜ｍ3t／ｍ3w＜４
但し、
ｍ3t：長焦点距離端で無限遠物体に合焦したときの第３レンズ群の近軸横倍率、
ｍ3w：短焦点距離端で無限遠物体に合焦したときの第３レンズ群の近軸横倍率。
【請求項３】
請求項２記載の広角ズームレンズ系において、ズーミングに際し、第１レンズ群と第３レンズ群は一体に移動する（Ｘ1-Ｘ3＝０）広角ズームレンズ系。
【請求項４】
物体側から順に、正の屈折力を有する第１レンズ群と、負の屈折力を有する第２レンズ群と、正の屈折力を有する第３レンズ群と、正の屈折力を有する第４レンズ群とから構成され、短焦点距離端から長焦点距離端へのズーミングに際し、第１レンズ群と第２レンズ群の間隔は増大し、第２レンズ群と第３レンズ群の間隔は減少し、第３レンズ群と第４レンズ群の間隔は増大するように各群を光軸方向に移動させ、次の条件式（１）、（４）及び（５）を満足することを特徴とする広角ズームレンズ系。
（１）-０.７＜ｆW／ｆ2＜-０.５
（４）０．５＜｜ｆ2｜／ｆ3＜１
（５）２＜ｍ3t／ｍ3w＜４
【請求項５】
請求項４記載の広角ズームレンズ系において、ズーミングに際し、第１レンズ群と第３レンズ群は一体に移動する広角ズームレンズ系。
【請求項６】
請求項１ないし５のいずれか１項記載の広角ズームレンズ系において、第１レンズ群は負レンズ１枚と正レンズ１枚で構成され、次の条件式（６）を満足する広角ズームレンズ系。
（６）ｎＡ＞１．６５
但し、
ｎＡ：第１レンズ群中の正レンズのｄ線に対する屈折率。
【請求項７】
請求項１ないし６のいずれか１項記載の広角ズームレンズ系において、第２レンズ群は、物体側から順に、負レンズ、負レンズ、正レンズの３枚のレンズ、または負レンズ、負レンズ、正レンズ、負レンズの４枚で構成され、次の条件式（７）を満足する広角ズームレンズ系。
（７）ｎＢ＞１．７
但し、
ｎＢ：第２レンズ群中の負レンズのｄ線に対する屈折率の平均値。
【請求項８】
請求項１ないし７のいずれか１項記載の広角ズームレンズ系において、第３レンズ群は正レンズ２枚と負レンズ１枚で構成され、第４レンズ群は正レンズ１枚で構成されている広角ズームレンズ系。
【請求項９】
請求項１ないし７のいずれか１項記載の広角ズームレンズ系において、第４レンズ群はフォーカスレンズ群である広角ズームレンズ系。
【発明の詳細な説明】
【技術分野】
【０００１】
本発明は、主にデジタルカメラに用いられる、短焦点距離端での半画角が３５゜を超え、５倍程度の変倍比（ズーム比）を有する広角ズームレンズ系に関する。
【背景技術】
【０００２】
ＣＣＤ撮像素子の画素の微細化に伴い、該ＣＣＤ素子上に結像させる撮影レンズ系も高解像度が要求されている。またＣＣＤ素子の前方にはフィルター類を配置するスペースを要することから長いバックフォーカスが要求され、さらにシェーディングや色ずれ防止のために、レンズ最終面からの射出光ができるだけＣＣＤ撮像面に垂直に入射するテレセントリック性も要求される。
【０００３】
広角ズームレンズ系として従来、変倍比４程度までは負レンズ先行（ネガティブリーディング）型のレンズ系がよく用いられてきた。しかし、負レンズ先行型は変倍比を大きくすることが困難であり、変倍比が５を超えるものでは、正レンズ先行（プラスリーディング）型が主に用いられている。
【特許文献１】特開平５‐２７１６７号公報
【特許文献２】特開平７‐２０３８１号公報
【発明の開示】
【発明が解決しようとする課題】
【０００４】
正レンズ先行型の広角ズームレンズ系として、特許文献１の広角ズームレンズ系は、変倍比７から８程度を有するが、短焦点距離端での半画角が２５゜程度であり、広角化が不十分である。また特許文献２の広角ズームレンズ系は、短焦点距離端での半画角が３８゜程度と広角化が達成されているが、前玉径が大きく、構成レンズ枚数が多く、小型化が不十分である。
【０００５】
本発明は従って、変倍比が５程度で、短焦点距離端で３５゜を超える半画角を有し、前玉径を小さく、構成枚数を少なくできる小型の広角ズームレンズ系を得ることを目的とする。
【課題を解決するための手段】
【０００６】
本発明による広角ズームレンズ系は、物体側から順に、正の屈折力を有する第１レンズ群と、負の屈折力を有する第２レンズ群と、正の屈折力を有する第３レンズ群と、正の屈折力を有する第４レンズ群とから構成され、短焦点距離端から長焦点距離端へのズーミングに際し、第１レンズ群と第２レンズ群の間隔は増大し、第２レンズ群と第３レンズ群の間隔は減少し、第３レンズ群と第４レンズ群の間隔は増大するように各群を光軸方向に移動させ、次の条件式（１）及び（２）を満足することを特徴としている。
（１）-０.７＜ｆW／ｆ2＜-０.５
（２）０.４＜Ｘ1／ｆt＜０.８
但し、
ｆW：短焦点距離端での全系の焦点距離、
ｆt：長焦点距離端での全系の焦点距離、
ｆi：第ｉレンズ群（ｉ＝１から４）の焦点距離、
Ｘi：短焦点距離端から長焦点距離端までの第ｉレンズ群の移動距離、
である。
【０００７】
本発明の広角ズームレンズ系は、次の条件式（３）ないし（５）を満足することが好ましい。
（３）|Ｘ1-Ｘ3|／ｆt＜０．１
（４）０．５＜｜ｆ2｜／ｆ3＜１（ｆ2＜０）
（５）２＜ｍ3t／ｍ3w＜４
但し、
ｍ3t：長焦点距離端で無限遠物体に合焦したときの第３レンズ群の近軸横倍率、
ｍ3w：短焦点距離端で無限遠物体に合焦したときの第３レンズ群の近軸横倍率、
である。
【０００８】
本発明の広角ズームレンズ系は、別の条件式の組合せでは、物体側から順に、正の屈折力を有する第１レンズ群と、負の屈折力を有する第２レンズ群と、正の屈折力を有する第３レンズ群と、正の屈折力を有する第４レンズ群とから構成され、短焦点距離端から長焦点距離端へのズーミングに際し、第１レンズ群と第２レンズ群の間隔は増大し、第２レンズ群と第３レンズ群の間隔は減少し、第３レンズ群と第４レンズ群の間隔は増大するように各群を光軸方向に移動させ、次の条件式（１）、（４）及び（５）を満足することを特徴としている。
（１）-０.７＜ｆW／ｆ2＜-０.５
（４）０．５＜｜ｆ2｜／ｆ3＜１
（５）２＜ｍ3t／ｍ3w＜４
【０００９】
本発明のズームレンズ系は、その好ましい一態様では、ズーミングに際し、第１レンズ群と第３レンズ群が一体に移動する（Ｘ1-Ｘ3＝０）。
【００１０】
第１レンズ群は、次の条件式（６）を満足する負レンズ１枚と正レンズ１枚で構成することができる。
（６）ｎＡ＞１．６５
但し、
ｎＡ：第１レンズ群中の正レンズのｄ線に対する屈折率、
である。
【００１１】
第２レンズ群は、物体側から順に、負レンズ、負レンズ、正レンズの３枚のレンズ、または負レンズ、負レンズ、正レンズ、負レンズの４枚で構成することができる。第２レンズ群中の負レンズは、次の条件式（７）を満足することが望ましい。
（７）ｎＢ＞１．７
但し、
ｎＢ：第２レンズ群中の負レンズのｄ線に対する屈折率の平均値、
である。
【００１２】
第３レンズ群は、正レンズ２枚と負レンズ１枚で構成し、第４レンズ群は正レンズ１枚で構成することができる。
【００１３】
フォーカスレンズ群は、第４レンズ群とすることが好ましい。
【発明の効果】
【００１４】
本発明によると、変倍比が５程度で、短焦点距離端で３５゜を超える半画角を有し、前玉径を小さくできる小型の広角ズームレンズ系が得られる。
【発明を実施するための最良の形態】
【００１５】
本発明による４群広角ズームレンズ系は、図２１の簡易移動図に示すように、物体側から順に、正のパワーの第１レンズ群１０と、負のパワーの第２レンズ群２０と、正のパワーの第３レンズ群３０と、負のパワーの第４レンズ群４０とからなっている。Ｉは結像面を示す。短焦点距離端から長焦点距離端へのズーミングに際し、第１レンズ群１０と第２レンズ群２０の間隔は増大し、第２レンズ群２０と第３レンズ群３０の間隔は減少し、第３レンズ群３０と第４レンズ群４０の間隔は増大するように各群が光軸方向に移動する。絞りＳは、第２レンズ群２０と第３レンズ群３０の間に位置し、第３レンズ３０と一体に移動する。フォーカシングは、第４レンズ群４０を移動させて行う。
【００１６】
移動軌跡は、図の例では、第１レンズ群１０及び第３レンズ群３０は単調に物体側に移動し、第２レンズ群２０は一旦像側に移動した後物体側に移動するＵターン軌跡を描く。第４レンズ群４０は像面に対して固定（図２１実線、実施例１、５）、または破線で示すように一旦像側に移動した後物体側に移動するＵターン軌跡を描く（図２１破線、実施例２〜４）。また、第１レンズ群１０と第３レンズ群３０は、一体に移動させることが可能であり、一体移動とすることにより、ズーミングの機械構成を単純化することができる。
【００１７】
条件式（１）は、第２レンズ群の焦点距離に関する条件である。条件式（１）の下限を越えると、第２レンズ群の負の屈折力が強くなりすぎて、短焦点距離端でのレンズ全長が長くなり、コマ収差や非点収差の補正も困難となる。上限を超えると、第２レンズ群の負の屈折力が弱くなりすぎて広角化が困難になることに加えて、変倍効果も弱くなり、５倍程度の変倍比を確保できない。
【００１８】
条件式（２）は、第１レンズ群の移動量を規定しており、前玉径（第１レンズ群の径）を小さくするための条件である。レンズ系（レンズ鏡筒）の小型化のためには、最も物体側に位置する第１レンズ群の細径化が重要である。しかしながら正レンズ先行型のレンズ系においては、広角端から中間焦点距離の間の焦点距離で、周辺光量が減少しやす問題がある。これはこれらの焦点距離域では入射瞳位置が第１レンズ群に対して深くなることと、画角がまだ広いために第１レンズ群の光線高が高くなるためである。周辺光量の低下を防ぐためには、第１レンズ#群の径を大きくすればよいが、沈胴式ズームレンズを搭載したカメラでは、大型化は免れない。条件式（２）の下限を超えると、広角端近傍において入射瞳位置が深くなってしまうため、第１レンズ群の径が大きくなる。上限を超えると、望遠端でのレンズ全長が長くなってしまう問題が発生する。
【００１９】
条件式（３）は、ズーミングに際しての第１レンズ群と第３レンズ群の移動量の差に関する条件である。条件式（３）を満足するように、第１レンズ群と第３レンズ群の移動量の差を小さく設定することにより、短焦点距離端でのレンズ全長を短くすることができ、第１レンズ群の径を小さくすることが可能となる。条件式（３）の上限を超えると、望遠端でのＦナンバーが暗く成りやすく、またレンズ全長がながくなってしまう問題が発生する。
【００２０】
第１レンズ群と第３レンズ群は一体に移動させる（Ｘ1-Ｘ3＝０）ことが好ましい。一体に移動させることにより、鏡筒構成が簡素になり、各レンズ群の偏心精度が高くなり製造時の結像性能の安定化にも寄与する。
【００２１】
条件式（４）は、主たる変倍作用を担う第２レンズ群と第３レンズ群の屈折力の比に関する条件である。条件式（４）の下限を越えると、第２レンズ群の負の屈折力が大きくなるため、変倍時の収差変動が大きくなり好ましくない。上限を超えると、第２レンズ群の負の屈折力が小さくなるだけでなく第３レンズ群の屈折力も小さくなるため、レンズ全長が長くなる。
【００２２】
条件式（５）は、短焦点距離端と長焦点距離端における第３レンズ群の無限遠合焦時における横倍率の比に関する条件である。条件式（５）の下限を越えると、第３レンズ群の変倍負担が減少するため大きい変倍比を得ようとすると第２レンズ群の変倍負担が増加し、長焦点距離端における第１レンズ群のマージナル光線高が高くなり、前玉径が増大する。上限を超えると、第３レンズ群の変倍負担が増加するため、第３レンズ群のズーム移動量が増加し、長焦点距離端でのＦナンバーの増加を招く。
【００２３】
第１レンズ群は、全系の薄型化を図るために、負レンズ１枚と正レンズ１枚で構成するのがよい。そしてこの正レンズの硝材が条件式（６）を満足することにより、さらに小型化が可能になる。
【００２４】
第２レンズ群は、物体側から順に、負レンズ、負レンズ、正レンズの３枚構成、あるいは物体側から順に、負レンズ、負レンズ、正レンズ、負レンズの４枚構成とすることにより、諸収差を良好に補正することができる。この第２レンズ群中の負レンズは、条件式（７）を満足する硝材を用いることで、第２レンズ群の小径化、ひいては第１レンズ群の小径化に寄与する。
【００２５】
第３レンズ群は、正レンズ２枚と負レンズ１枚で構成し、フォーカスレンズ群である第４レンズ群は１枚の正レンズから構成するのがよい。全系で９枚または１０枚の構成枚数の少ない広角ズームレンズ系を得ることができる。フォーカスレンズ群を像面に近い第４レンズ群とし、かつ正レンズ１枚とすることで、ＡＦ機構の負担を減らし、高速化を図ることができる。
【００２６】
次に具体的な数値実施例を示す。諸収差図中、球面収差で表される色収差（軸上色収差）図及び倍率色収差図中のｄ線、ｇ線、C線はそれぞれの波長に対する収差であり、Ｓはサジタル、Ｍはメリディオナルである。また、表中のＦNO.はＦナンバー、ｆは全系の焦点距離、Ｗは半画角（゜）、ｆB はバックフォーカス、ｒは曲率半径、ｄはレンズ厚またはレンズ間隔、Ｎd はｄ線の屈折率、νはアッベ数を示す。
また、回転対称非球面は次式で定義される。
x=cy2/[1+[1-(1+K)c2y2]1/2]+A4y4+A6y6+A8y8 +A10y10+A12y12・・・
（但し、ｘは非球面形状、ｃは曲率（１／ｒ）、ｙは光軸からの高さ、Ｋは円錐係数、Ａ４、Ａ６、Ａ８、・・・・・は各次数の非球面係数）
【００２７】
［数値実施例１］
図１ないし図４と表１は、本発明の広角ズームレンズ系の数値実施例１を示している。図１はそのレンズ構成図、図２、図３及び図４はそれぞれ、短焦点距離端、中間焦点距離及び長焦点距離端における諸収差図、表１はその数値データである。第１レンズ群１０（面No. １〜２）は、物体側から順に、物体側に凸面を向けた負メニスカスレンズ１１と正メニスカスレンズ１２の接合レンズからなり、第２レンズ群２０（面No. ３〜１１）は、物体側から順に、物体側に凹面を向けた負メニスカスレンズ２１と、両凹レンズ２２と、両凸レンズ２３と、両凹レンズ２４とからなり、第３レンズ群３０（面No. １２〜１６）は、物体側から順に、両凸レンズ３１と、物体側に凸の正メニスカスレンズ３２と負メニスカスレンズ３３との接合レンズとからなり、第４レンズ群４０（面No. １７〜１８）は、両凸レンズ４１からなっている。面No. １９〜２１はカバーガラスＣＧであり、絞りＳは第３レンズ群３０（第１２面）の前方（物体側）０．９０の位置にある。
【００２８】
（表１）
FNO.= 1:2.6 - 3.4 - 4.9 
f=   4.60 - 10.75 - 23.00 
W=   38.9 - 18.0 - 8.7
fB=  0.00 - 0.00 - 0.00 
面No.    ｒ         ｄ        Nd         ν
1      22.469      1.00    1.84666     23.8
2      16.214      3.82    1.72916     54.7
3     140.015    0.50 - 7.52 - 11.71
4*    125.764      0.80    1.88300     40.8                           
5       5.743      3.68                                               
6*    -21.767      1.00    1.80610     40.9                           
7      62.149      0.10                                               
8      14.885      2.50    1.84666     23.8                           
9     -23.505      0.50                                               
10    -18.760      1.00    1.77250     49.6                           
11    527.320   13.62 - 6.60 - 2.41                                   
12*     7.137      2.70    1.58636     60.9                           
13*   -13.285      0.10                                               
14      5.747      1.64    1.48749     70.2                           
15     13.408      0.80    1.84666     23.8                           
16      4.033    4.08 - 9.56 - 18.59                                  
17     15.332      2.54    1.58913     61.2                           
18    -26.683      2.30                                               
19       ∞        1.20    1.51633     64.1                          
20       ∞        0.61                                              
21       ∞        0.50    1.51633     64.1                          
22       ∞         -                                                
*は回転対称非球面。
非球面データ（表示していない非球面係数は0.00である。）：
面No.   Ｋ       Ａ４          Ａ６           Ａ８           Ａ１０
4     0.00   0.17612×10-3  -0.99892×10-6  -0.16228×10-9
6     0.00  -0.59331×10-5  -0.48249×10-5   0.46332×10-7   0.16605×10-8
12    0.00  -0.50736×10-3  -0.47667×10-5  -0.90896×10-6
13    0.00   0.17827×10-3  -0.39261×10-5  -0.93137×10-6
【００２９】
［数値実施例２］
図５ないし図８と表２は、本発明の広角ズームレンズ系の数値実施例２を示している。図５はそのレンズ構成図、図６、図７及び図８はそれぞれ、短焦点距離端、中間焦点距離及び長焦点距離端における諸収差図、表２はその数値データである。第２レンズ群２０（面No.３〜９）は、物体側から順に、物体側に凹面を向けた負メニスカスレンズ２１と、像側に凸面を向けた負メニスカスレンズ２２と、両凸レンズ２３とからなり、第３レンズ群３０（面No. １０〜１４）は、物体側から順に、両凸レンズ３１と負メニスカスレンズ３２の接合レンズと、物体側に凸の正メニスカスレンズ３３と負メニスカスレンズ３４の接合レンズとからなっている。第１レンズ群１０と第４レンズ群４０の構成は数値実施例１と同じである。絞りＳは、第３レンズ群３０（第１０面）の前方（物体側）０．９７の位置にある。
【００３０】
（表２）
FNO.= 1:2.8 - 4.5 - 4.9 
f=   5.80 - 18.00 - 29.00 
W=   39.3 - 13.7 - 8.5
fB=  0.00 - 0.00 - 0.00 
面No.    ｒ         ｄ        Nd         ν
1      26.184      0.90    1.84666     23.8                           
2      20.063      3.18    1.72916     54.7                           
3      88.619    0.80 - 13.07 - 18.76                                 
4*    509.856      0.80    1.83481     42.7                           
5       7.883      4.59                                               
6     -13.267      0.70    1.72916     54.7                           
7     -71.438      0.10                                               
8      33.633      2.72    1.84666     23.8                           
9     -37.422   20.51 - 8.22 - 2.57                                   
10*     9.350      3.00    1.58913     61.2                           
11     -8.201      1.21    1.56138     45.2                           
12*   -26.353      0.10                                               
13      8.837      2.59    1.69680     55.5                           
14     14.995      1.50    1.84666     23.8                           
15      4.863    4.71 - 14.46 - 17.97                                 
16*    32.887      3.00    1.62041     60.3                           
17    -12.536    2.29 - 1.01 - 2.91                                   
18       ∞        1.50    1.51633     64.1                          
19       ∞        0.50                                              
20       ∞        0.50    1.51633     64.1                          
21       ∞         -                                                
*は回転対称非球面。
非球面データ（表示していない非球面係数は0.00である。）：
面No.   Ｋ         Ａ４            Ａ６            Ａ８
4      0.00    0.76906×10-4     -0.34685×10-6    0.88712×10-9
10     0.00   -0.14712×10-3   -0.19276×10-6   -0.23220×10-7
12     0.00    0.13723×10-3    0.79423×10-6   -0.30830×10-7
16     0.00   -0.14931×10-3   -0.10607×10-5    0.17224×10-7
【００３１】
［数値実施例３］
図９ないし図１２と表３は、本発明の広角ズームレンズ系の数値実施例３を示している。図９はそのレンズ構成図、図１０、図１１及び図１２はそれぞれ、短焦点距離端、中間焦点距離及び長焦点距離端における諸収差図、表３はその数値データである。第２レンズ群２０（面No.３〜９）は、数値実施例２と同様の３枚のレンズ２１、２２、２３からなり、第３レンズ群３０（面No. １０〜１４）は、数値実施例１と同様の３枚のレンズ３１、３２、３３からなっている。第１レンズ群１０と第４レンズ群４０の構成は数値実施例１と同じである。絞りＳは第３レンズ群３０（第１０面）の前方（物体側）０．７５の位置にある。
【００３２】
（表３）
FNO.= 1:2.8 - 4.2 - 5.1 
f=   4.40 - 12.00 - 20.90 
W=   40.2 - 15.7 - 9.2
fB=  0.80 - 0.80 - 0.80 
面No.    ｒ         ｄ        Nd         ν
1      23.166      0.70    1.84666     23.8                           
2      17.953      2.74    1.72916     54.7                           
3     127.295    0.80 - 8.96 - 12.91                                  
4      55.075      1.00    1.88300     40.8                           
5       5.634      2.84                                               
6*    -13.346      1.00    1.80440     39.6                           
7      20.773      0.32                                               
8      15.403      2.09    1.84666     23.8                           
9     -23.963   14.42 - 6.24 - 2.35                                   
10*     6.266      2.61    1.58636     60.9                           
11*   -15.851      0.10                                               
12      6.680      1.41    1.69680     55.5                           
13     12.940      0.80    1.84666     23.8                           
14      3.753    4.03 - 11.54 - 17.04                                 
15*    24.000      2.34    1.58636     60.9                           
16    -11.228    1.71 - 1.18 - 2.16                                   
17       ∞        1.50    1.51633     64.1                          
18       ∞        0.80                                              
19       ∞        0.50    1.51633     64.1                          
20       ∞         -                                                
*は回転対称非球面。
非球面データ（表示していない非球面係数は0.00である。）：
面No.   Ｋ         Ａ４            Ａ６            Ａ８
6      0.00    0.15309×10-3     -0.11054×10-5    0.94152×10-7
10     0.00   -0.63315×10-3   -0.68366×10-5   -0.16779×10-5
11     0.00    0.12851×10-3    0.73528×10-6   -0.21394×10-5
15     0.00   -0.26910×10-3   -0.15003×10-5    0.33645×10-7
【００３３】
［数値実施例４］
図１３ないし図１６と表４は、本発明の広角ズームレンズ系の数値実施例４を示している。図１３はそのレンズ構成図、図１４、図１５及び図１６はそれぞれ、短焦点距離端、中間焦点距離及び長焦点距離端における諸収差図、表４はその数値データである。基本的なレンズ構成は数値実施例３と同じである。絞りＳは第３レンズ群３０（第１０面）の前方（物体側）０．７５の位置にある。
【００３４】
（表４）
FNO.= 1:2.8 - 4.0 - 5.4 
f=   4.40 - 10.00 - 20.90 
W=   39.6 - 18.6 - 9.2
fB=  0.00 - 0.00 - 0.00 
面No.    ｒ         ｄ        Nd         ν
1      24.611      0.80    1.84666     23.8                           
2      18.847      2.98    1.69680     55.5                           
3     182.273    0.80 - 7.86 - 12.93                                  
4      45.828      0.80    1.88300     40.8                           
5       5.700      3.23                                               
6*    -15.339      1.00    1.80610     40.9                           
7      22.643      0.30                                               
8      16.490      2.13    1.84666     23.8                           
9     -27.433   14.48 - 7.41 - 2.35                                   
10*     6.689      2.70    1.58636     60.9                           
11*   -11.872      0.10                                               
12      5.900      1.52    1.48749     70.2                           
13     11.816      0.80    1.84666     23.8                           
14      3.680    3.11 - 9.30 - 16.47                                  
15     17.093      2.29    1.58913     61.2                           
16    -18.244    1.86 - 1.00 - 1.50                                   
17       ∞        1.50    1.51633     64.1                          
18       ∞        0.80                                              
19       ∞        0.50    1.51633     64.1                          
20       ∞         -                                                
*は回転対称非球面。
非球面データ（表示していない非球面係数は0.00である。）：
面No.   Ｋ       Ａ４          Ａ６           Ａ８           Ａ１０
6     0.00   0.14630×10-3  -0.24820×10-5   0.14980×10-6  -0.61680×10-9
10    0.00  -0.85980×10-3  -0.26740×10-4  -0.31450×10-5
11    0.00  -0.93010×10-4  -0.31020×10-4  -0.23180×10-5
【００３５】
［数値実施例５］
図１７ないし図２０と表５は、本発明の広角ズームレンズ系の数値実施例５を示している。図１７はそのレンズ構成図、図１８、図１９及び図２０はそれぞれ、短焦点距離端、中間焦点距離及び長焦点距離端における諸収差図、表５はその数値データである。基本的なレンズ構成は数値実施例３と同じである。絞りＳは第３レンズ群３０（第１０面）の前方（物体側）０．９０の位置にある。
【００３６】
（表５）
FNO.= 1:2.7 - 3.5 - 5.0 
f=   4.72 - 10.75 - 23.62 
W=   38.8 - 18.3 - 8.7
fB=  0.00 - 0.00 - 0.00 
面No.    ｒ         ｄ        Nd         ν
1      27.002      1.00    1.84666     23.8                           
2      19.803      3.33    1.72916     54.7                           
3     373.296    0.50 - 8.25 - 13.22                                  
4      23.789      0.80    1.88300     40.8                           
5       5.598      3.35                                               
6*    -12.756      1.00    1.80610     40.9                           
7      18.929      0.51                                               
8      17.271      2.20    1.84666     23.8                           
9     -24.650   14.79 - 7.04 - 2.08                                   
10*     7.685      2.90    1.58913     61.2                           
11*   -12.115      0.10                                               
12      6.056      1.58    1.48749     70.2                           
13     12.666      0.80    1.84666     23.8                           
14      4.096    4.90 - 10.08 - 19.17                                 
15     10.699      2.50    1.58913    61.2                            
16   -100.766      2.20                                               
17       ∞        0.90    1.51633     64.1                          
18       ∞        0.61                                              
19       ∞        0.50    1.51633     64.1                          
20       ∞         -                                                
*は回転対称非球面。
非球面データ（表示していない非球面係数は0.00である。）：
面No.   Ｋ       Ａ４          Ａ６           Ａ８           Ａ１０
6     0.00   0.15140×10-3  -0.12182×10-4   0.67665×10-6  -0.16395×10-7
10    0.00  -0.76456×10-3  -0.67663×10-5  -0.24541×10-5
11    0.00  -0.20600×10-3  -0.75827×10-5  -0.20300×10-5
【００３７】
各数値実施例の各条件式に対する値を表６に示す。
（表６）
実施例１  実施例２  実施例３  実施例４  実施例５
条件式（１）  -0.659   -0.536    -0.523    -0.569    -0.548
条件式（２）   0.630    0.467     0.479     0.646     0.622
条件式（３）   0.000    0.001     0.001     0.002     0.000
条件式（４）   0.660    0.801     0.805     0.716     0.755
条件式（５）   2.956    2.693     2.829     2.966     2.853 
条件式（６）  1.72916  1.72916  1.72916  1.69680  1.72916
条件式（７）  1.82053  1.78199  1.84370  1.84455  1.84455
【００３８】
表６からも明らかなように、数値実施例１ないし数値実施例５の数値は、条件式（１）ないし（７）を満足しており、かつ収差図に示すように各焦点距離での諸収差もよく補正されている。
【図面の簡単な説明】
【００３９】
【図１】本発明による広角ズームレンズ系の数値実施例１の短焦点距離端におけるレンズ構成図である。
【図２】図１のレンズ構成の短焦点距離端における諸収差図である。
【図３】図１のレンズ構成の中間焦点距離における諸収差図である。
【図４】図１のレンズ構成の長焦点距離端における諸収差図である。
【図５】本発明による広角ズームレンズ系の数値実施例２の短焦点距離端におけるレンズ構成図である。
【図６】図５のレンズ構成の短焦点距離端における諸収差図である。
【図７】図５のレンズ構成の中間焦点距離における諸収差図である。
【図８】図５のレンズ構成の長焦点距離端における諸収差図である。
【図９】本発明による広角ズームレンズ系の数値実施例３の短焦点距離端におけるレンズ構成図である。
【図１０】図９のレンズ構成の短焦点距離端における諸収差図である。
【図１１】図９のレンズ構成の中間焦点距離における諸収差図である。
【図１２】図９のレンズ構成の長焦点距離端における諸収差図である。
【図１３】本発明による広角ズームレンズ系の数値実施例４の短焦点距離端におけるレンズ構成図である。
【図１４】図１３のレンズ構成の短焦点距離端における諸収差図である。
【図１５】図１３のレンズ構成の中間焦点距離における諸収差図である。
【図１６】図１３のレンズ構成の長焦点距離端における諸収差図である。
【図１７】本発明による広角ズームレンズ系の数値実施例５の短焦点距離端におけるレンズ構成図である。
【図１８】図１７のレンズ構成の短焦点距離端における諸収差図である。
【図１９】図１７のレンズ構成の中間焦点距離における諸収差図である。
【図２０】図１７のレンズ構成の長焦点距離端における諸収差図である。
【図２１】数値実施例１ないし５のズームレンズ系の簡易移動図である。
【図１】
2008046347.tif 000003
【図２】
2008046347.tif 000004
【図３】
2008046347.tif 000005
【図４】
2008046347.tif 000006
【図５】
2008046347.tif 000007
【図６】
2008046347.tif 000008
【図７】
2008046347.tif 000009
【図８】
2008046347.tif 000010
【図９】
2008046347.tif 000011
【図１０】
2008046347.tif 000012
【図１１】
2008046347.tif 000013
【図１２】
2008046347.tif 000014
【図１３】
2008046347.tif 000015
【図１４】
2008046347.tif 000016
【図１５】
2008046347.tif 000017
【図１６】
2008046347.tif 000018
【図１７】
2008046347.tif 000019
【図１８】
2008046347.tif 000020
【図１９】
2008046347.tif 000021
【図２０】
2008046347.tif 000022
【図２１】
2008046347.tif 000023